(57)【特許請求の範囲】
【請求項１】
着物（１）を繰り越し（１−１）から座った時のお尻の位置までの長さを上衣丈（イ）
とし、この位置で裾に平行になるように裁断し上衣（２）と下衣（３）に分け、上衣の
袖は袂のない上衣袖（２−５）とし、上衣左前身頃裏に付けた紐（２−６）と上衣右衿
先に付けた紐（２−７）及び上衣右前身頃表に付けた紐（２−８）と上衣左衿先に付け
た紐（２−９）を設け、１対の下衣後身頃（３−２）を裾から下肢の長さ（ハ）の位置
で裁断し背もたれ部（４−１）と裾部（４−２）に分け、座布団（４−３）の一辺の長
さ（ニ）分背もたれ部（４−１）を上方向にずらして縫い付け、ずらした間に座布団（４
−３）及び座布団の両サイドに当て布（４−４）を縫い付け、背もたれ部（４−１）の
上端の両端（Ａ）（Ｂ）及び座布団（４−３）の四隅（Ｃ）（Ｄ）（Ｅ）（Ｆ）に下衣を
車椅子に固定させるための固定具を取り付け、下衣左前身頃上の紐（４−５）と下衣右
衽上の紐（４−６）及び下衣右前身頃上の紐（４−７）と下衣左衽上の紐（４−８）を
設け、下衣を予め車いすに取り付け、人が車いすに座って下衣左前身頃上の紐（４−５）
と下衣右衽上の紐（４−６）を結び、次いで下衣右前身頃上の紐（４−７）と下衣左衽
上の紐（４−８）を結ぶことにより右前に下衣を着用し、上衣と下衣により着物を着た
思いになることのできる  車椅子用おしゃれ着。
【発明の詳細な説明】
【技術分野】
【０００１】
本発明は，車椅子で外出する人のための着物をリフォームしたおしゃれ着に関する。
【背景技術】
【０００２】
着物の古着をリフォームして再利用することが試みられている。主に洋服にリフォームされるが、残った端切れからバッグ・帽子・財布などがよく作られ、これに関する本も沢山出版されている。
着物をリフォームして巻きスカートにしたものは特許文献１にあるが、これは車椅子に装着するものではない。
特許文献２は防寒着を目的としているが、そのほかの季節のおしゃれをして外出することを目的とした外出着ではなく、着物をリフォームしたものでもない。
特許文献３は、本発明の下衣は同様のものであるが、着物をリフォームしたものではなく、上衣に関することが記されていない。
【先行技術文献】
【特許文献】
【０００３】
【特許文献１】実登３１７８１８９号公報
【特許文献２】実登３０６７２８９号公報
【特許文献３】特開平１１−３１３７３５号公報
【発明の概要】
【発明が解決しようとする課題】
【０００４】
車椅子を使わなくては外出できない高齢者は、外出することを嫌がる。女性はいくつになってもおしゃれを好む。パーマをかけたりお化粧をしたりおしゃれが出来たら楽しく外出をしたい気持ちになると思われる。
認知症になったお年寄りも、若いときに経験したことを語りかけたり、歌を歌ううちに次第に記憶を取り戻し、認知症が改善すると聞く。
また車椅子を使用する時は、歩きやすい服装にする。散歩の途中で運動に歩くこともあるし、トイレに行きたくなることもある。そのため車椅子を使用する時はトレーニングウェアを着用することが一般的である。
若かった時に好きだった着物をリフォームして、車椅子でも着用できるようにすること、及びすばやくトレーニングウェアに戻ることが出来ることが課題である。
【課題を解決するための手段】
【０００５】
着物（１）を繰り越し（１−１）から座った時のお尻の位置までの長さを上衣丈（イ）とし、この位置で裁断し、上衣（２）と下衣（３）に分ける。（図２）
この上衣（２）と下衣（３）を車椅子用に作り替えた車椅子用下衣（４）で本発明を構成する。
【０００６】
上衣（２）から袖を外し、袂のない袖を作って上衣袖（２−５）とする。
上衣左前身頃裏に紐（２−６）、上衣右衿先に紐（２−７）、上衣右前身頃表に紐（２−８）、上衣左衿先に紐（２−９）を設ける。
上衣（２）はブラウスにリフォームすることも出来る。（図３）
【０００７】
下衣（３）は着物（１）の左右の後身頃（１−２）前身頃（１−３）衽（１−４）を横の長さとし、身丈から上衣丈（イ）を引いた長さ下衣丈（ロ）を縦の長さとする長方形となる。
１対の下衣後身頃（３−２）を裾から下肢の長さ（ハ）の位置で裁断し背もたれ部（４−１）と裾部（４−２）に分ける。
背もたれ部（４−１）の表裏を返して座布団（４−３）の一辺の長さ（ニ）分、上方向にずらして取り付ける。
ずらして空いた部分に座布団（４−３）を取り付け、座布団の両サイドに当て布（４−４）を設ける。
背もたれ部（４−１）の上端の両端（Ａ）（Ｂ）及び座布団（４−３）の四隅（Ｃ）（Ｄ）（Ｅ）（Ｆ）に下衣を車椅子に固定させるための固定具を設ける。
下衣左前身頃上（４−５）下衣右衽上（４−６）下衣右前身頃上（４−７）下衣左衽上（４−８）に紐を設ける。
【発明の効果】
【０００８】
日本には娘が嫁入りする時に、母親が喪服・留袖・付け下げなどを用意して持たせる習慣があった。しかし現在は洋装が一般的となり、着物は次第に箪笥の奥にしまわれ、亡くなった時や老人ホームに入居する時に、大量にゴミとして捨てられることが多い。これは日本が長年培ってきた糸や布の文化を捨てることに等しく、大変不経済なことでもある。着物をリフォームしていつでも着られることは、日本の文化を再認識することにつながる。
また高齢になり外出を嫌うお年寄りも、きれいに装うことにより楽しい気分になり、外出したい気持ちになる。認知症を患ったり、欝状態に陥ったお年寄りも、若いときに装った着物を再び身に着けることにより、思い出がよみがえって認知症や欝状態が改善される。
【図面の簡単な説明】
【０００９】
【図１】本発明使用図
【図２】和装用着物と裁断説明図
【図３】［１］上衣正面図  ［２］ブラウス
【図４】［１］下衣正面図  ［２］下衣背面図
【図５】本発明を車椅子に取り付けた斜視図
【発明を実施するための形態】
【００１０】
通常日本の着物は一本の反物から出来ている。反物を身丈の２倍の長さで裁断したもの２枚と袖丈の２倍の長さで裁断したもの２枚を取り、残った生地を縦に裁断して衽と衿を作る。身丈の２倍の長さで裁断されたものは、後ろ身頃と前身頃で、二枚の後ろ身頃を背縫いし、前身頃に衽を着け、袖・衿をつけて、脇を縫い着物としている。
着物（１）を繰り越し（１−１）から座った時のお尻の位置までの長さを上衣丈（イ）とし、この位置で裁断し、上衣（２）と下衣（３）に分ける。（図２）
この上衣（２）と下衣（３）を車椅子用に作り替えた車椅子用下衣（４）で本発明を構成する。
【００１１】
上衣（２）から袖を外し、袂のない袖を作って上衣袖（２−５）とする。袂が長いと車椅子の後ろの大きな車輪に引っ掛かる恐れがあるので、袂は短くする必要がある。
上衣左前身頃裏に紐（２−６）、上衣右衿先に紐（２−７）、上衣右前身頃表に紐（２−８）、上衣左衿先に紐（２−９）を設ける。先に上衣左前身頃裏に紐（２−６）と上衣右衿先に紐（２−７）を結び、次いで上衣右前身頃表に紐（２−８）と上衣左衿先に紐（２−９）を結ぶ。これは二部式の着物の上衣となり、着物を着た気持ちになる。
上衣（２）はブラウスにリフォームすることも出来る。（図３）
【００１２】
下衣（３）は着物（１）の左右の後身頃（１−２）前身頃（１−３）衽（１−４）を横の長さとし、身丈から上衣丈（イ）を引いた長さ下衣丈（ロ）を縦の長さとする長方形となる。
１対の下衣後身頃（３−２）を裾から下肢の長さ（ハ）の位置で裁断し背もたれ部（４−１）と裾部（４−２）に分ける。
背もたれ部（４−１）の表裏を返して座布団（４−３）の一辺の長さ（ニ）分、上方向にずらして取り付ける。
ずらして空いた部分に座布団（４−３）を取り付け、座布団の両サイドに当て布（４−４）を設ける。
背もたれ部（４−１）の表裏を返すのは、車椅子に取り付けた時、正面から見て背もたれ部（４−１）が表布になるためである。車椅子使用中にトイレなど車椅子から離れなくてはならない場合にも、正面から見て背もたれ部（４−１）が表布になっていることが望ましい。（図５）
背もたれ部（４−１）の上端の両端（Ａ）（Ｂ）及び座布団（４−３）の四隅（Ｃ）
（Ｄ）（Ｅ）（Ｆ）に下衣を車椅子に固定させるための固定具を設ける。背もたれ部（４−１）の両端（Ａ）及び（Ｂ）を車椅子の左右の手押しハンドルにしっかりと固定させる。また座布団の四隅（Ｃ）（Ｄ）（Ｅ）（Ｆ）を車椅子のシート横のフレームにしっかりと固定させる。固定具は紐あるいは市販のベルトや固定具を使用すると良い。これらは車椅子用おしゃれ着が車椅子の後輪に巻き込まれないようにするためである。車椅子には通常サイドガードが付いていて、衣服が後輪に巻き込まれないようにはなっているが、衣服が後輪に巻き込まれて、思わぬ事故につながらないよう用心すべきである。
下衣左前身頃上（４−５）下衣右衽上（４−６）下衣右前身頃上（４−７）下衣左衽上（４−８）に紐を設ける。
車椅子に乗り込むときは、予め下衣を車椅子にセットしておく。（図５）
車椅子に座って下衣左前身頃上の紐（４−５）と下衣右衽上の紐（４−６）を結び、次いで下衣右前身頃上の紐（４−７）と下衣左衽上の紐（４−８）を結ぶ。このことにより通常の着物を着用したと同じように右前に着用することが出来る。
巻きスカートとして着用する時は、車椅子に座って先に下衣右前身頃上の紐（４−７）と下衣左衽上の紐（４−８）を結び、次いで下衣左前身頃上の紐（４−５）と下衣右衽上の紐（４−６）を結ぶと左前に着用することが出来る。
左右の下衣前身頃（３−３）と下衣衽（３−４）は車椅子に座った時に膝掛の役割をする。また膝をすっぽり包むので、前からの冷気後ろからの冷気を遮るので暖かい。着物として着用するものは、下衣左衽裏に数カ所面ファスナー凸部を、下衣右前身頃表に裏面と同数の面ファスナー凹部を設けると風で前部が飛ぶ心配がなくなる。また巻きスカートとして用いるものは右裏面に面ファスナーの凸部を、左表面に面ファスナーの凹部を設けると風で前部が飛ぶ心配がなくなる。
車椅子を使わなくては外出できない高齢者は、外出することを嫌がる。
しかし女性はいくつになってもおしゃれを好む。パーマをかけたりお化粧をしたりお
しゃれが出来たら楽しく外出をしたい気持ちになると思われる。
認知症になったお年寄りも、若いときに経験したことを語りかけたり、歌を歌ううち
に次第に記憶を取り戻し、認知症が改善すると聞く。日本には娘が嫁入りする時に、母親が喪服・留袖・付け下げなどを用意して持たせる習慣があった。しかし現在は洋装が一般的となり、着物は次第に箪笥の奥にしまわれ、亡くなった時や老人ホームに入居する時に、大量にゴミとして捨てられることが多い。これは日本が長年培ってきた糸や布の文化を捨てることに等しく、大変不経済なことでもある。着物をリフォームしていつでも着られることは、日本の文化を再認識することにつながる。
高齢になり外出を嫌うお年寄りも、きれいに装うことにより楽しい気分になり、外出したい気持ちになる。認知症を患ったり、欝状態に陥ったお年寄りも、若いときに装った着物を再び身に着けることにより、思い出がよみがえって認知症や欝状態が改善される。
車椅子を使用する時は、歩きやすい服装にする。散歩の途中で運動に歩くことも
あるし、トイレに行きたくなることもある。そのため車椅子を使用する時はトレーニ
ングウェアを着用することが一般的である。本発明は予め車椅子にセットしておいて
車椅子に乗り込み、両前を重ねて着物の形を作るので、中にトレーニングウェアを着
ることが出来る。また両前を開けて車椅子から降りることも容易なので、安全におし
ゃれを楽しめる。
【符号の説明】
【００１３】
１．  着物
１−１  繰り越し
１−２  後身頃
１−３  前身頃
１−４  衽
１−５  袖
１−６  衿
２．  上衣
２−１  背縫い  
２−２  上衣後身頃
２−３  上衣前身頃
２−４  上衣衽
２−５  上衣袖
２−６  上衣左前身頃裏に着けた紐
２−７  上衣右衿先に着けた紐
２−８  上衣右前身頃表に着けた紐
２−９  上衣左衿先に着けた紐
３．  下衣
３−１  背縫い
３−２  下衣後身頃
３−３  下衣前身頃
３−４  下衣衽
４．    車椅子用下衣
４−１  背もたれ部
４−２  裾部
４−３  座布団
４−４  当て布
４−５  下衣左前身頃上の紐
４−６  下衣右衽上の紐
４−７  下衣右前身頃上の紐
４−８  下衣左衽上の紐
イ      上衣丈
ロ      下衣丈
ハ      裾部丈（下肢の長さ）
ニ      座布団の一辺の長さ
Ａ・Ｂ    背もたれ上部の固定具
Ｃ・Ｄ・Ｅ・Ｆ    座布団の４隅の固定具      
【要約】
【課題】車椅子の生活を余儀なくされたお年寄りは、外出を嫌がる傾向がある。
また和装用着物は着る機会がなく、捨てられてしまうことが多々ある。
着物をリフォームして車椅子用おしゃれ着を提供する。
【解決手段】二部式の着物の下衣に座布団を設け、紐により裾を開閉させることができ、車椅子の乗り降りを容易にしたこと、且つおしゃれをして外出が出来ることを特徴とする。
【選択図】図１【図１】
0006055144.tif 000002
【図２】
0006055144.tif 000003
【図３】
0006055144.tif 000004
【図４】
0006055144.tif 000005
【図５】
0006055144.tif 000006